(57)【要約】【課題】湖沼の底から水草を除去する際に、水が濁らないようにして潜水して除草作業を行う作業員の視界を妨げないようにし、水草の作業効率の向上を図ることができる水草除去装置及び水草除去方法の提供。【解決手段】エアー供給源２からの圧縮された高圧空気はエアー供給ホース３、エアー供給筒部１２を介して連通口１６から垂直筒部１０と水流出部材１７との間に導入され、エアー上昇通路ＵＰに沿って上昇し、更に垂直筒部１０内を上昇する。高圧空気の上昇に伴い、垂直筒部１０内に勢いのよい水流ができ、吸込み口１１Ｋから湖沼の水ＷＡは水平筒部１１を経て垂直筒部１０内へと導かれ、水は狭められた水流出部材１７により効率の良い早い水流ができて、吸込み口１１Ｋからの吸込みも強くなって、吸込み口１１Ｋは水草ＷＰの茎の根元に近い部分を水平方向から吸い込み、茎を折り曲げるようにしながら吸い込んで引き抜くことになる。【選択図】図１
2020079072.tif 000002
【特許請求の範囲】
【請求項１】
湖沼の底に生える水草を除去する水草除去装置において、圧縮した空気を供給するエアー供給源と、このエアー供給源からの圧縮された空気がエアー供給ホースを介して供給されてこの空気圧を利用して前記水草の茎の根元に近い部分を前記吸込み口より水平方向から吸い込むことにより前記底の土砂から引き抜く引き抜き装置と、この引き抜き装置が引き抜いた前記水草を湖沼の水中から上方へ導く案内用ホースと、この案内用ホースの上端部に取付けられた注出部材と、この注出部材の注出口から水と共に注出された前記水草を回収する回収網から構成される回収装置とを備えたことを特徴とする水草除去装置。
【請求項２】
前記引き抜き装置を垂直方向に延びる中空円筒状を呈して上端が前記案内用ホース連結される垂直筒部と、この垂直筒部の下部に一端が直交するように連結するもので他端には前記吸込み口が水平方向に向いて開設された水平筒部と、前記エアー供給ホースに一端が連結すると共に他端が前記垂直筒部の上下方向の中間位置において側面に連結するエアー供給筒部とから構成したことを特徴とする請求項１に記載の水草除去装置。
【請求項３】
前記水草を除去する際に、前記引き抜き装置の前記水平筒部の下端部が前記湖沼の前記底に接地したときに、前記水平筒部の前記吸込み口が前記湖沼の前記底から離れた位置に配置される構造にして、前記水草の茎の根元に近い部分を前記吸込み口より水平方向から吸い込むことにより前記茎を折り曲げるようにしながら引き抜くようにしたことを特徴とする請求項２に記載の水草除去装置。
【請求項４】
前記水平筒部として、その一部を構成する筒部に種類が異なる吸込み筒部を着脱自在に設けたことを特徴とする請求項２に記載の水草除去装置。
【請求項５】
前記エアー供給源からの圧縮された空気が前記エアー供給筒部の連通口から前記垂直筒部内に供給された際に、その全外周に亘って前記垂直筒部の側壁の内側面との間にエアー上昇通路を形成すると共に前記水平筒部の前記吸込み口から吸い込まれた水の流路を形成する水流出部材を前記垂直筒部内に設けたことを特徴とする請求項１に記載の水草除去装置。
【請求項６】
前記注出部材は、概ね外形がＬ字形状の中空円筒状を呈して、前記案内用ホースをそのまま延長するような方向に延びて下端部が前記案内用ホースに連結される一方の部分と、この一方の部分から直交するように折れ曲げて形成され端部には前記注出口が形成された他方の部分とから構成したことを特徴とする請求項１に記載の水草除去装置。
【請求項７】
湖沼の底に生える水草を除去する水草除去方法において、
エアー供給源から圧縮した空気がエアー供給ホースを介して供給されて、この空気圧を利用して引き抜き装置の吸込み口より前記水草の前記水草の茎の根元に近い部分を水平方向から吸い込むことにより前記底の土砂から引き抜き、
この引き抜いた前記水草を湖沼の水中から案内用ホースを介して上方へ導き、
この案内用ホースの上端部に取付けられた注出部材の注出口から水と共に注出された前記水草を回収網にて回収することを特徴とする水草除去方法。
【発明の詳細な説明】
【技術分野】
【０００１】
本発明は、湖沼の底に生える水草を除去する水草除去装置及び湖沼の底に生える水草を除去する水草除去方法に関するものである。
【背景技術】
【０００２】
目的物だけでなく周囲の目的外の物まで吸引したりするのを防止するために、例えば特許文献１に開示する技術が公開されている。即ち、この技術によれば、潜水服を着用した作業員が潜水エアーガンにより目的物にエアーを噴射しつつ、バラストタンクにより水中遊仕艇を浮沈させ、エアーリフトによって目的物を吸引除去するものである。
【先行技術文献】
【特許文献】
【０００３】
【特許文献１】特開２０１４−９４７３１号公報
【発明の概要】
【発明が解決しようとする課題】
【０００４】
しかしながら、この従来技術によれば、目的物を水草とした場合において、エアーガンにより水草が生えている根元である湖沼の底にエアーを噴射して、湖沼の底から水草を除去する際には、前記底の土砂などが舞い上がって、水が濁り、潜水して除草作業を行う作業員の視界の妨げになり、水草の作業効率の悪化を招くという問題がある。また、目的物にエアーを噴射させる設備と、これとは別個の目的物を吸引して除去する設備とが必要で複雑なものとなる。
【０００５】
そこで本発明は、上記問題点に鑑み、湖沼の底から水草を除去する際に、水が濁らないようにして潜水して除草作業を行う作業員の視界を妨げないようにし、水草の作業効率の向上を図ると共に、極力水草下部に土砂が付かない状態で除去できるようにすることができる水草除去装置及び水草除去方法を提供することを目的とする。
【課題を解決するための手段】
【０００６】
このため第１の発明は、湖沼の底に生える水草を除去する水草除去装置において、圧縮した空気を供給するエアー供給源と、このエアー供給源からの圧縮された空気がエアー供給ホースを介して供給されてこの空気圧を利用して前記水草の茎の根元に近い部分を前記吸込み口より水平方向から吸い込むことにより前記底の土砂から引き抜く引き抜き装置と、この引き抜き装置が引き抜いた前記水草を湖沼の水中から上方へ導く案内用ホースと、この案内用ホースの上端部に取付けられた注出部材と、この注出部材の注出口から水と共に注出された前記水草を回収する回収網から構成される回収装置とを備えたことを特徴とする。
【０００７】
また第２の発明は、第１の発明において、前記引き抜き装置を垂直方向に延びる中空円筒状を呈して上端が前記案内用ホース連結される垂直筒部と、この垂直筒部の下部に一端が直交するように連結するもので他端には前記吸込み口が水平方向に向いて開設された水平筒部と、前記エアー供給ホースに一端が連結すると共に他端が前記垂直筒部の上下方向の中間位置において側面に連結するエアー供給筒部とから構成したことを特徴とする。
【０００８】
更に第３の発明は、第２の発明において、前記水草を除去する際に、前記引き抜き装置の前記水平筒部の下端部が前記湖沼の前記底に接地したときに、前記水平筒部の前記吸込み口が前記湖沼の前記底から離れた位置に配置される構造にして、前記水草の茎の根元に近い部分を前記吸込み口より水平方向から吸い込むことにより前記茎を折り曲げるようにしながら引き抜くようにしたことを特徴とする。
【０００９】
また第４の発明は、第２の発明において、前記水平筒部として、その一部を構成する筒部に種類が異なる吸込み筒部を着脱自在に設けたことを特徴とする。
【００１０】
また、第５の発明は、第１の発明において、前記エアー供給源からの圧縮された空気が前記エアー供給筒部の連通口から前記垂直筒部内に供給された際に、その全外周に亘って前記垂直筒部の側壁の内側面との間にエアー上昇通路を形成すると共に前記水平筒部の前記吸込み口から吸い込まれた水の流路を形成する水流出部材を前記垂直筒部内に設けたことを特徴とする。
【００１１】
第６の発明は、第１の発明において、前記注出部材は、概ね外形がＬ字形状の中空円筒状を呈して、前記案内用ホースをそのまま延長するような方向に延びて下端部が前記案内用ホースに連結される一方の部分と、この一方の部分から直交するように折れ曲げて形成され端部には前記注出口が形成された他方の部分とから構成したことを特徴とする。
【００１２】
また第７の発明は、湖沼の底に生える水草を除去する水草除去方法において、
エアー供給源から圧縮した空気がエアー供給ホースを介して供給されて、この空気圧を利用して引き抜き装置の吸込み口より前記水草の前記水草の茎の根元に近い部分を水平方向から吸い込むことにより前記底の土砂から引き抜き、
この引き抜いた前記水草を湖沼の水中から案内用ホースを介して上方へ導き、
この案内用ホースの上端部に取付けられた注出部材の注出口から水と共に注出された前記水草を回収網にて回収することを特徴とする。
【発明の効果】
【００１３】
本発明は、湖沼の底から水草を除去する際に、水が濁らないようにして潜水して除草作業を行う作業員の視界を妨げないようにし、水草の作業効率の向上を図ると共に、極力水草下部に土砂が付かない状態で除去できるようにすることができる水草除去装置及び水草除去方法を提供することができる。また、水深が浅い湖沼で水草の除去作業をした場合でも、水等の吸引力を強くすることができ、水草を湖沼の底から引き抜き易い。また、引き抜いた水草を回収装置により確実に回収するものであるから、散らばって回収に手間取ることもなく、しかも注出部材から水と共に放出される水草が、前記回収装置を構成する回収網により切断されて小さくされることが極力減少するので、前記回収網の網目をくぐって前記回収網外部へ出ることにより散乱することが減少して確実に回収することができる。更には、引き抜き装置の水平筒部に種類が異なる小径筒部を使用することにより、水草の種類や生えている場所に応じて変更することができる。
【図面の簡単な説明】
【００１４】
【図１】本発明の実施形態を示す全体を簡略的に表した図である。
【図２】図１の要部拡大図である。
【図３】引き抜き装置の水平筒部として、その一部を構成する筒部である大径筒部に種類が異なる吸込み筒部としての小径筒部を着脱自在とする実施形態であって、前記小径筒部を取り外した状態を示す図である。
【図４】図３に示す実施形態において、前記小径筒部を取付けた状態を示す図である。
【発明を実施するための形態】
【００１５】
以下、図1及び図２基づいて、湖、沼、池、競艇場の湖等の湖沼の底ＬＢの土砂ＥＳ中に生える水草ＷＰを除去する水草除去装置１について、また前記湖沼の前記底ＬＢに生える前記水草ＷＰを除去する水草除去方法について詳述する。先ず、図1に示すように、前記水草除去装置１は、大きく分けて、圧縮した空気を供給するエアー供給源２と、このエアー供給源２からの圧縮された空気がフレキシブルなエアー供給ホース３を介して供給されてこの空気圧を利用して前記水草ＷＰを吸い込んで前述した前記底ＬＢの前記土砂ＥＳ中から引き抜く引き抜き装置４と、この引き抜き装置４が引き抜いた前記水草ＷＰを湖沼の水中から上方へ導く蛇腹状の案内用ホース５と、このフレキシブルな案内用ホース５の上端部に取付けられた注出部材６と、この注出部材６から注出された前記水草ＷＰを回収する回収装置７とを備えている。従って、前記水草除去装置１は、湖沼の底から水草を除去する作業をシンプル化することができる。
【００１６】
なお、前記エアー供給ホース３、前記案内用ホース５は、それぞれ湖沼の水深に合わせて、適宜の長さを選択するか、複数のホースを連結して継ぎ足したり又は繋ぎ数を減らしたりすることにより対応できる。
【００１７】
作業員による入切りスイッチ（図示せず）の操作により電源（バッテリにより）が供給されると、前記エアー供給源２を構成する、例えばコンプレッサーなどが駆動して空気を圧縮し、この圧縮した空気を連結具８を介して接続された前記エアー供給ホース３を介して前記引き抜き装置４に供給する。このエアー供給源２は、少なくとも一人の作業者が乗船する作業船ＷＢに配備されている。
【００１８】
図２に示すように、前記引き抜き装置４は、外観が概ねＬ字形状を呈して、大きく分けて、垂直方向に延びる中空円筒状の垂直筒部１０と、この垂直筒部１０の下部に一端が直交するように（直角に）連結すると共に他端には吸込み口１１Ｋが水平方向に向いて開設された水平筒部１１と、前記エアー供給ホース３に一端が連結すると共に他端が前記垂直筒部１０の上下方向の中間位置において側面に連結するエアー供給筒部１２とから構成される。即ち、前記引き抜き装置４は、外観が概ねＬ字形状を呈して、前記垂直筒部１０と、この垂直筒部１０と直角に連結する水平筒部１１とから構成される。
【００１９】
そして、前記垂直筒部１０、前記水平筒部１１及び前記エアー供給筒部１２は本実施形態では硬質の合成樹脂で作製されるが、鉄等の金属で作製してもよい。
【００２０】
そして、前記エアー供給ホース３の下端部は連結手段１３を介して前記エアー供給筒部１２に固定される。即ち、前記連結手段１３は例えば、前記エアー供給ホース３の下端部に設けられた雌ネジ（又は雄ネジ）が内壁に形成された一方の連結部材と、前記エアー供給筒部１２の上端部に設けられた雄ネジ（又は雌ネジ）が外壁に形成された他方の連結部材とから構成して、前記他方の連結部材の前記雄ネジ（又は雌ネジ）と前記一方の連結部材の前記雌ネジ（又は雄ネジ）とを螺合させることにより、前記エアー供給筒部１２と内径が同径である前記エアー供給ホース３の下端部は前記エアー供給筒部１２の上端部に固定されるが、この連結手段１３はその連結の仕方、構造は種々考えられ、その種類は問わない。
【００２１】
図２に示すように、前記引き抜き装置４の前記水平筒部１１は中空円筒状の大径筒部１１Ａとこれに連通する中空状の吸込み筒部となる小径筒部１１Ｂとからなり、前記小径筒部１１Ｂは前記大径筒部１１Ａに直接に連通する第１小径筒部１１Ｂ１（中空で外形が円錐台形状を呈している。）とこの第１小径筒部１１Ｂ１に連通する中空円筒状の第２小径筒部１１Ｂ２とから構成される。前記第１小径筒部１１Ｂ１は前記大径筒部１１Ａから前記第２小径筒部１１Ｂ２に向けて徐々に小径となるような内部空間を存する。なお、前記水平筒部１１の前記小径筒部１１Ｂを前記第１小径筒部１１Ｂ１と前記第２小径筒部１１Ｂ２とを分けずに、１つの小径筒部として、上部に向けて徐々に小径となるような外形が円錐台形状を呈する中空状のものとしてもよい。
【００２２】
従って、前記水草ＷＰを除草する際に、中空円筒状の大径筒部１１Ａの側面の下端部を湖沼の前記底ＬＢ（略水平の前記底ＬＢ）に接触させて接地させた状態では、前記引き抜き装置４の前記水平筒部１１の中空部の中心軸線は前記底ＬＢの上面と平行となり、前記大径筒部１１Ａに連通する前記第１小径筒部１１Ｂ１は前記第２小径筒部１１Ｂ２に向けて徐々に前記底ＬＢから離れ、前記第２小径筒部１１Ｂ２の下端部は、例えば２ｃｍ程度（なお、２ｃｍより長く又は短くてもよい。）、前記底ＬＢから離れた状態となるように、作製される。このため、円筒状の大径筒部１１Ａの側面の下端部が湖沼の前記底ＬＢに接触して接地した状態では、前記水平筒部１１の前記吸込み口１１Ｋの下端は前記湖沼の前記底ＬＢから、例えば２ｃｍ程度離れた位置に配置されることとなる。
【００２３】
そして、前記大径筒部１１Ａ、前記第１小径筒部１１Ｂ１及び前記第２小径筒部１１Ｂ２は縦断面した開口の形状が同心円となり、前記第２小径筒部１１Ｂ２の端部は開口して、前記水草ＷＰや湖沼の水ＷＡを吸い込む前記吸込み口１１Ｋとなる。但し、前記大径筒部１１Ａ、前記小径筒部１１Ｂは縦断面した開口の形状が必ずしも同心円でなくともよい。
【００２４】
従って、前記水草ＷＰの除去時において、前記大径筒部１１Ａの側面の下端部が湖沼の前記底ＬＢに接地した状態では、前記小径筒部１１Ｂの前記吸込み口１１Ｋは、その下端が前記底ＬＢから上方へ２ｃｍ程度離れて水平方向（横方向、以下同じ。）に向けて開口することになるため、前記底ＬＢの前記土砂ＥＳ中に生えている前記水草ＷＰを引き抜く際には、前記水草ＷＰの茎の根元（茎と根の境）に近い部分、即ち前記土砂ＥＳ中から水中に出た部分の前記茎の前記根元に近い部分を前記吸込み口１１Ｋが水平方向から吸い込むことにより前記茎を折り曲げるようにしながら引きくことになる。即ち、前記水草ＷＰの茎の根元に近い部分を前記吸込み口１１Ｋより水平方向から吸い込むことにより、この吸い込まれた茎の吸込み側先端部から折り返して折り曲げながら、前記引き抜き装置４が前記水草ＷＰを前記底ＬＢの前記土砂ＥＳから引き抜くことになる。
【００２５】
このため、前記吸込み口１１Ｋは前記底ＬＢから上方へ離れて水平方向（横方向）に向けて開口しているので、前記底ＬＢの前記土砂ＥＳ中の石や、貝などを吸い込むことが防止されると共に、斜め上方に引き上げるようになるため、真上方向に引き抜く構造に比べて、極力前記水草ＷＰの根に前記土砂ＥＳが付かないように、引き抜くことができる。従って、水が濁らないようにして、潜水服を着用し前記作業船ＷＢに備えられた空気供給装置に接続されたホースを介して空気が送られると共に排気が可能な潜水用ヘルメットをかぶって潜水して除草作業を行う作業員ＤＩの視界を妨げないようにし、前記水草ＷＰの作業効率の向上を図ることができる。
【００２６】
なお、前記引き抜き装置４の前記垂直筒部１０と前記水平筒部１１の前記大径筒部１１Ａの内径は、例えば１００ｍｍ程度であり、前記第２小径筒部１１Ｂ２の内径（円形の吸込み口１１Ｋの径）は、例えば６５ｍｍである。このように、前記吸込み口１１Ｋの径を小さくすることにより、水深が約２ｍ５０ｃｍ程度の浅い湖沼で前記水草ＷＰの除去作業をした場合でも、吸引圧力が高められ水ＷＡ等の吸引力を強くすることができ、前記水草ＷＰを前記底ＬＢの前記土砂ＥＳ中から引き抜き易くしている。
【００２７】
前記エアー供給ホース３の下端部には、前記エアー供給筒部１２が接続されているが、前記エアー供給ホース３及び前記エアー供給筒部１２の内径は、例えば１５ｍｍ程度である。そして、前記エアー供給筒部１２の側部には、開閉調整バルブ１５が設けられ、この開閉調整バルブ１５が閉じられていれば、前記エアー供給ホース３と前記引き抜き装置４との連通は遮断され、全開又は任意の開度に開かれていれば連通状態となる。
【００２８】
そして、前記エアー供給筒部１２は前記垂直筒部１０に開設された円形の連通口１６を介して連通しているが、この連通口１６に近い直下方の位置において、前記垂直筒部１０の側壁の内側面に水流出部材１７の下端部が溶着される。この水流出部材１７は、その下端部が前記垂直筒部１０の側壁の内側面に溶着固定され、外形が円錐台形状を呈する中空状の基部１７Ａと、内径が１００ｍｍ程度の前記垂直筒部１０と同心円で外径が７５ｍｍ程度の中空円筒状を呈する円筒部１７Ｂとから構成される。この場合、前記連通口１６は前記円筒部１７Ｂと前記基部１７Ａとに跨って面するように形成される。なお、前記水流出部材１７を前記基部１７Ａと前記円筒部１７Ｂとに分けずに、上部に向けて徐々に小径となるような外形が円錐台形状を呈する中空状のものとしてもよい。
【００２９】
そして、前記円筒部１７Ｂの外径は７５ｍｍ程度で、内径が６５ｍｍ程度であり、前記内径が１００ｍｍである前記引き抜き装置４の前記垂直筒部１０の側壁の内側面と前記水流出部材１７との間に圧縮された高圧空気のエアー上昇通路ＵＰが形成されることになる。即ち、前記垂直筒部１０より小径で開口面積が小さく絞った前記水流出部材１７の全外周に亘って前記垂直筒部１０の側壁の内側面との間に前記エアー上昇通路ＵＰが形成されると共に、内部には前記水平筒部１１の前記吸込み口１１Ｋから吸い込まれた水ＷＰの流路ＦＰが形成される。
【００３０】
従って、前記エアー供給源２からの圧縮された高圧空気が前記エアー供給ホース３、前記エアー供給筒部１２を介して前記連通口１６から前記垂直筒部１０と前記水流出部材１７との間に導入されると、前記エアー上昇通路ＵＰに沿って上昇し、更に前記垂直筒部１０内を上昇することになる。この高圧空気の上昇に伴い、上昇する水流が生じるので、前記底ＬＢから前記水草ＷＰが引き抜かれ、水ＷＡ及び前記水草ＷＡは前記水平筒部１１、前記垂直筒部１０、前記水流出部材１７、再び前記垂直筒部１０内を上昇し、やがて前記案内用ホース５及び前記注出部材６を介して注出されて前記水草ＷＰは前記回収装置７に回収されることとなる。
【００３１】
この場合、前述したように、前記エアー供給筒部１２からの圧縮された高圧空気は、前記水草ＷＰが通過する前記垂直筒部１０内に直接には吹き込まれず、水泡ＢＢも細かくし、前記垂直筒部１０の中心部に多くの水ＷＡが通るよう前記水泡ＢＢが前記水流出部材１７の回りに集められ、前記水流出部材１７の前記流路ＦＰ内の上昇中の水ＷＡや前記水草ＷＰに直接高圧空気を当てないようにする。前記垂直筒部１０内で上昇中の水ＷＡや前記水草ＷＰに直接高圧空気を当てるようにすると、上昇中の水ＷＡや前記水草ＷＰに乱気流が生じて、効率の良い上昇水流を作ることはできないが、本実施形態によれば、このような問題は解消できる。
【００３２】
そして、前述したような圧縮された高圧空気の上昇に伴って、前記吸込み口１１Ｋから湖沼の水ＷＡは前記水平筒部１１を経て前記垂直筒部１０内へと導かれ、水ＷＡは狭められた前記水流出部材１７により効率の良い早い水流ができて、前記吸込み口１１Ｋからの吸込みも強くなって、浅い水深でも前記水草ＷＰの吸引に係る作業効率が上昇する。なお、図２で示すＢＬは、前記エアー供給筒部１２からの高圧空気と前記垂直筒部１０内の水ＷＡとの境界を示す。
【００３３】
なお、前記案内用ホース５の下端部には連結部材２０が設けられ、また前記垂直筒部１０の上端部には連結部２１が形成されているので、前記連結部材２０と前記連結部２１とは突き合わせた状態で例えばボルトとナットで連結結合され、共に内径が１００ｍｍである前記案内用ホース５と前記垂直筒部１０とは連結されている。
【００３４】
また、前記案内用ホース５の上端部には連結部材２２が設けられ、また前記注出部材６の端部には連結部２３が形成されているので、前記連結部材２２と前記連結部２３とは突き合わせた状態で例えばボルトとナットで連結結合され、前記案内用ホース５と前記注出部材６とは連結されている。なお、前記連結部材２２と前記連結部２３とは、例えば硬質の合成樹脂材料にて作製される。
【００３５】
前記注出部材６は、例えば硬質の合成樹脂材料にて作製され、概ね外形がＬ字形状の中空円筒状を呈して、前記案内用ホース５をそのまま延長するような方向に延びて下端部に前記連結部２３が形成される一方の部分６Ａとこの部分６Ａから直角に（直交するように）折れ曲げて形成され端部には注出口６Ｃが形成された他方の部分６Ｂとから構成される。
【００３６】
前記回収装置７は前記注出部材６の前記注出口６Ｃから水ＷＰと共に注出された前記水草ＷＰを回収するものであるが、前記水草ＷＰを収納する合成樹脂製の回収網２５と、前記回収網２５の取り入れ開口部を形成するもので比重が水より小さい、例えば材木などで構成され、例えば平面視四角形状に枠組みされた取り入れ口形成部材２６（浮き輪の役目を果たす。）とから構成される。
【００３７】
また、前記取り入れ口形成部材２６には、図示しないが前記案内用ホース５を固定するための、例えば紐等の固定具（図示せず）が設けられており、前記取り入れ口形成部材２６に形成された取り入れ口からその先端が挿入された状態の前記案内用ホース５は前記固定具により前記取り入れ口形成部材２６に固定される。そして、この前記案内用ホース５が前記取り入れ口形成部材２６に固定されて前記水草ＷＰを回収している状態でも、前記回収装置７全体は軽く、前記回収装置７は水に浮かんだ状態である（図１参照）。
【００３８】
そして、前記エアー供給源２からの圧縮された高圧空気が前記エアー供給ホース３を介して供給され、この空気圧を利用して前記引き抜き装置４が前記水草ＷＰを吸い込んで前記底ＬＢの前記土砂ＥＳ中から引き抜き、この引き抜き装置４が引き抜いた前記水草ＷＰを水ＷＡと共に前記案内用ホース５を介して上昇させて、前記水草ＷＰを含んだ水ＷＡを前記注出部材６から前記回収装置７の前記回収網２５内に放出する際には、前記回収網２５により確実に回収するものであるから、散らばって回収に手間取ることもない。
【００３９】
即ち、図１に示すように、前記案内用ホース５内を上昇する空気により前記注出部材６が傾いて寝たような状態となった前記回収網２５の側部に接触して押し上げるようになるため、前記他方の部分６Ｂが下向きとなり、前記注出口６Ｃから下方向へ向けて前記水草ＷＰを含んだ水ＷＡを放出し、前記注出部材６が接触している前記回収網２５の側部に対向する前記注出部材６から遠い側部に向けて（前記注出口６Ｃが下向きとなって）放出するため、前記注出部材６から水と共に放出される前記水草ＷＰが、前記回収網２５により切断されて小さくされることが極力減少するので、前記回収網２５の網目をくぐって前記回収網２５外部へ出ることにより散乱することが減少して確実に回収することができる。
【００４０】
また、前記注出部材６は外形がＬ字形状を呈して、前記案内用ホース５をそのまま延長するような方向に延びた前記一方の部分６Ａと、この部分６Ａから直角に折れ曲げて形成された前記他方の部分６Ｂとから構成されるために、注出部材を前記案内用ホース５をそのまま延長するような方向に延びた部分しかない構造にすると前述した放出時にこの注出部材及び前記案内用ホース５は反作用により後方（放出方向とは反対の方向）へ後ずさりするようになるが、そのような問題も起こらないし、勢いよく直進する水ＷＡに含まれた前記水草ＷＰが前記回収網２５から抜けるのも防止される。
【００４１】
以上のような構成にすることにより、以下動作について説明する。先ず、前記開閉調整バルブ１５が閉じられている状態において、前記エアー供給ホース３、及び前記回収装置７に上部が固定された前記案内用ホース５に接続されている前記引き抜き装置４を湖沼の水中に投入する。
【００４２】
そして、湖沼の水中にいる潜水して除草作業を行う前記作業員ＤＩが、任意の開度に前記開閉調整バルブ１５を開いて、前記作業船ＷＢ上にいる作業員と有線電話などを使用して連絡を取って、湖沼の前記底ＬＢに生える前記水草ＷＰを除去する水草除去作業を開始する。
【００４３】
即ち、前記作業船ＷＢ上の作業員は前記入切りスイッチを操作して、前記エアー供給源２を駆動させると、この駆動により圧縮された高圧空気が前記エアー供給ホース３を介して前記引き抜き装置４に供給される。
【００４４】
このとき、前記エアー供給源２からの圧縮された高圧空気は前記エアー供給ホース３、前記エアー供給筒部１２を介して前記連通口１６から前記垂直筒部１０と前記水流出部材１７との間に導入され、前記エアー上昇通路ＵＰに沿って上昇し、更に前記垂直筒部１０内を上昇することになる。
【００４５】
この上昇する高圧空気の上昇に伴い、前記垂直筒部１０内に勢いのよい水流ができて、湖沼の水中で寝ている状態から徐々に、前記エアー供給ホース３、前記引き抜き装置４及び前記案内用ホース５は、直立するような状態になるので（但し、前記案内用ホース５の上部は緩やかに水平方向に曲がった状態となる。）、湖沼の水中にいる潜水して除草作業を行う前記作業員ＤＩは前記引き抜き装置４を掴んで、湖沼の前記底ＬＢに生える前記水草ＷＰの近くに移動させて、前記大径筒部１１Ａの側面の下端部を湖沼の前記底ＬＢに接地させる。
【００４６】
このとき、前記エアー供給筒部１２からの高圧空気は、前記水草ＷＰが通過する前記垂直筒部１０内に直接には吹き込まれず、前記水泡ＢＢも細かくし、前記垂直筒部１０の中心部に多くの水が通るよう前記水泡ＢＢを前記水流出部材１７の回りに集められ、前記水流出部材１７内の上昇中の水ＷＡに直接高圧空気を当てないようにして、上昇中の水ＷＡに乱気流が生じないようにして、効率の良い上昇水流が作られる。
【００４７】
従って、高圧空気の上昇に伴って、前記吸込み口１１Ｋから湖沼の水ＷＡは前記水平筒部１１を経て前記垂直筒部１０内へと導かれ、水は狭められた前記水流出部材１７により効率の良い早い水流ができて、前記吸込み口１１Ｋからの吸込みも強くなって、前記底ＬＢから上方へ離れて水平方向に向けて開口することになった前記第２小径筒部１１Ｂ２の前記吸込み口１１Ｋが前記水草ＷＰの茎の根元（茎と根の境）に近い部分、即ち前記土砂ＥＳ中から水中に出た部分の前記茎の前記根元に近い部分を水平方向から吸い込むことにより、この吸い込まれた茎の吸込み側先端部から折り返して折り曲げながら、前記引き抜き装置４が前記水草ＷＰを前記底ＬＢの前記土砂ＥＳから引き抜くことになる（図２参照）。
【００４８】
この場合、前記吸込み口１１Ｋは水平方向に向いているので、前記底ＬＢの前記土砂ＥＳ中の石や、貝などを吸い込むことは防止されると共に、斜め上方に前記水草ＷＰを引き上げるようにするので、直上方に引き抜く構造に比べて、極力前記水草ＷＰの根に前記土砂ＥＳが付かないように、引き抜くことができる。
【００４９】
そして、このような引き抜きの際には、前述したように、高圧空気が前記連通口１６から前記垂直筒部１０と前記水流出部材１７との間に導入されると、前記エアー上昇通路ＵＰに沿って上昇し、更に前記垂直筒部１０内を上昇することになるが、高圧空気は前記水草ＷＰが通過する前記垂直筒部１０内に直接には吹き込まれず、前記水泡ＢＢも細かくし、前記垂直筒部１０の中心部の前記流路ＦＰ内に多くの水ＷＡが通るよう前記水泡ＢＢを前記水流出部材１７の回りに集められ、前記水流出部材１７内の上昇中の水ＷＡや前記水草ＷＰに直接高圧空気を当てないようにし、上昇中の水ＷＡや前記水草ＷＰに乱気流が生じさせることがなく、効率の良い上昇水流を作ることはでき、また高圧空気の上昇に伴って、前記吸込み口１１Ｋから前記水平筒部１１を経て前記垂直筒部１０内へと導かれた水は狭められた前記水流出部材１７により効率の良い早い水流ができて、前記吸込み口１１Ｋからの吸込みも強くなって、水深が浅くとも前記水草ＷＰの吸引に係る作業効率の向上を図ることができる。
【００５０】
そして、前記引き抜き装置４が引き抜いた前記水草ＷＰを水ＷＡと共に前記案内用ホース５を介して上昇させて、前記水草ＷＰを含んだ水ＷＡは前記注出部材６から前記回収装置７の前記回収網２５内に放出される。この場合、前記案内用ホース５内を上昇する空気により前記注出部材６が傾いて寝たような状態となった前記回収網２５の側部に接触して押し上げるようになるため、前記注出部材６の前記他方の部分６Ｂが下向きとなり、前記注出口６Ｃから下方向へ向けて前記水草ＷＰを含んだ水ＷＡを放出し、前記注出部材６が接触している前記回収網２５の側部とは対向する前記注出部材６から遠い側部に向けて（前記注出口６Ｃが下向きとなって）放出するため、前記注出部材６から水と共に放出される前記水草ＷＰが、前記回収網２５により切断されて小さくされることが極力減少するので、前記回収網２５の網目をくぐって前記回収網２５外部へ出ることにより散乱することが減少して確実に回収することができる。
【００５１】
このように、潜水して除草作業を行う前記作業員ＤＩが前記引き抜き装置４を移動させつつ、次々と前記水草ＷＰ群を湖沼の前記底ＬＢの前記土砂ＥＳ中から前記引き抜き装置４が引き抜いて、前記回収装置７で回収するものである。従って、引き抜いた前記水草ＷＰを前記回収装置７により回収するものであるから、散らばって回収に手間取ることもない。やがて、前記水草ＷＰの除去作業を終了する場合には、前記エアー供給源２のエアー供給を停止させると共に前記開閉調整バルブ１５を閉じるものである。また、前記水草除去装置１を前記作業船ＷＢに引き上げて、全てが終了する。
【００５２】
なお、以上の実施形態では、前記大径筒部１１Ａの側面の下端部が湖沼の前記底ＬＢに接地した状態では、前記第２小径筒部１１Ｂ２の前記吸込み口１１Ｋは、前記底ＬＢから例えば２ｃｍ程度、上方へ離れて水平方向に向けて開口することになるが、前記吸込み口１１Ｋの開口面積、内径の大きさ、形状、その下端の前記底ＬＢからの距離などについて、前記水草ＷＰの種類や生えている場所に応じて変更することが考えられる。
【００５３】
即ち、前記水平筒部１１を大径筒部１１Ａ１と小径筒部１１Ｄとから構成し、前記水平筒部１１の一部を構成する筒部である前記大径筒部１１Ａ１に種類が異なる吸込み筒部としての前記小径筒部１１Ｄを着脱自在に取り付ける実施態様について、以下図３及び図４に基づいて説明する。即ち、前記大径筒部１１Ａ１に開口面積や、開口の径の大きさ、形状、前記底ＬＢからの距離等の種類が異なる前記小径筒部１１Ｄを着脱させる構造について、以下説明する。
【００５４】
前記小径筒部１１Ｄは前記大径筒部１１Ａ１が着脱自在に嵌合する中空円筒状の嵌合部１１Ｄ１と、この嵌合部１１Ｄ１に連通する第１小径筒部１１Ｄ２（中空で外形が円錐台形状を呈している。）と、この第１小径筒部１１Ｄ２に連通する中空円筒状の第２小径筒部１１Ｄ３とから構成される。前記第１小径筒部１１Ｄ２は前記嵌合部１１Ｄ１から第２小径筒部１１Ｄ３に向けて徐々に小径となるような内部空間を存する。
【００５５】
即ち、前記大径筒部１１Ａ１の外径は、例えば１１０ｍｍで、前記大径筒部１１Ａ１が嵌合する前記嵌合部１１Ｄ１の内径も約１１０ｍｍであり、先の実施形態の前記第２小径筒部１１Ｂ２の内径（円形の吸込み口１１Ｋの径）が６５ｍｍであるのに対して、この実施形態の前記第２小径筒部１１Ｄ３の内径（円形の吸込み口１１Ｋ１の径）は、例えば８０ｍｍである。なお、前記第１小径筒部１１Ｄ２と前記第２小径筒部１１Ｄ３とを分けずに、１つの小径筒部として、上部に向けて徐々に小径となるような外形が円錐台形状を呈する中空状のものとしてもよい。
【００５６】
そして、このように構成された前記大径筒部１１Ａ１に吸込み筒部としての前記小径筒部１１Ｄを図３に示す状態から、図４に示すように、前記大径筒部１１Ａ１に前記小径筒部１１Ｄを外方から嵌合させて取り付ける。
【００５７】
即ち、前記大径筒部１１Ａ１をその先端側から前記小径筒部１１Ｄの前記嵌合部１１Ｄ１内に嵌入させ、前記大径筒部１１Ａ１の先端部が前記第１小径筒部１１Ｄ２内壁と前記第２小径筒部１１Ｄ３内壁との境界まで届くまで（当接して停止するまで）嵌入させて、取り付ける。なお、吸込み筒部としての小径筒部の嵌合部の外径と前記大径筒部１１Ａ１の内径を略同じにして、前記嵌合部を前記大径筒部１１Ａ１内に嵌入させることにより取り付けてもよい。
【００５８】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００５９】
１          水草除去装置
２          エアー供給源
３          エアー供給ホース
４          引き抜き装置
５          案内用ホース
６          注出部材
６Ａ        一方の部分
６Ｂ        他方の部分
６Ｃ        注出口
７          回収装置
１０        垂直筒部
１１        水平筒部
１１Ｋ      吸込み口
１２        エアー供給筒部
１６        連通口
１７        水流出部材
２５        回収網
ＤＩ        潜水して除草作業を行う作業員
ＥＳ        土砂
ＦＰ        水の流路
ＬＢ        湖沼の底
ＵＰ        エアー上昇通路
ＷＡ        水
ＷＢ        作業船
ＷＰ        水草
【図１】
2020079072.tif 000003
【図２】
2020079072.tif 000004
【図３】
2020079072.tif 000005
【図４】
2020079072.tif 000006